(57)【要約】      （修正有）【課題】装着前の天然眉毛と装着される人工眉毛とが一体化されて自然な眉毛に見えるつけ眉毛の実施方法を提供する。【解決手段】天然眉毛１の上に接着剤３を塗布するステップと、人工眉毛２ａを配置するステップと、人工眉毛２ａの上に接着剤３を塗布するステップとを含み、接着剤３はコポリマーを主成分とする、つけ眉毛の実施方法を提供する。天然眉毛１に合わせて人工眉毛２ａを配置することができるので、一体化されて自然な眉毛に見える。【選択図】図２
2020079464.tif 000002
【特許請求の範囲】
【請求項１】
地肌又は天然眉毛の上に接着剤を塗布するステップと、
人工眉毛を配置するステップと、
前記人工眉毛の上に接着剤を塗布するステップとを含み、
前記接着剤は、コポリマーを主成分とすることを特徴とする、つけ眉毛の実施方法。
【請求項２】
前記人工眉毛を配置するステップ及び前記人工眉毛の上に接着剤を塗布するステップを、２回以上繰り返すことを特徴とする、請求項１に記載のつけ眉毛の実施方法。
【請求項３】
請求項１又は２に記載のつけ眉毛の実施方法を行った後に、表面の人口眉毛に第２の接着剤によって人口眉毛を付することを特徴とする、つけ眉毛の実施方法。
【請求項４】
請求項１〜３のいずれか１項に記載のつけ眉毛の実施方法を行った後に、乾燥してシート状となった接着剤及び人口眉毛の結合体を皮膚から剥離するステップと、
前記結合体を皮膚に接着するステップを含むことを特徴とする、つけ眉毛の実施方法。
【発明の詳細な説明】
【技術分野】
【０００１】
本発明は、つけ眉毛を行うための実施方法に関する。
【背景技術】
【０００２】
美観を増すために、眉毛を濃くあるいは多く見せたいことがある。その場合に、つけ眉毛を装着する。つけ眉毛としては、シート状のベース（基材）に人工眉毛を付し、ベースと人工眉毛を一緒に付着するものが、特許文献１〜３に開示されている。かかる部材を用いれば、比較的容易につけ眉毛を装着することができる。しかし、装着前の天然眉毛と装着される人工眉毛とが一体化されて自然な眉毛に見えるものではない。
【先行技術文献】
【特許文献】
【０００３】
【特許文献１】特開２００６−２１４０６６号公報
【特許文献２】実用新案登録３１０９４３８号公報
【特許文献３】特開２０１７−１５５３３８号公報
【発明の概要】
【発明が解決しようとする課題】
【０００４】
本発明は、装着前の天然眉毛と装着される人工眉毛とが一体化されて自然な眉毛に見えるつけ眉毛の実施方法を提供することを課題とする。
【課題を解決するための手段】
【０００５】
本発明のつけ眉毛の実施方法は、
地肌又は天然眉毛の上に接着剤を塗布するステップと、
人工眉毛を配置するステップと、
前記人工眉毛の上に接着剤を塗布するステップとを含み、
前記接着剤は、コポリマーを主成分とすることを特徴とする。
【０００６】
この特徴によれば、天然眉毛に合わせて人工眉毛を配置することができ、装着前の天然眉毛と装着される人工眉毛とが一体化されて自然な眉毛に見えるものとなる。ここで「人工眉毛」は、皮膚から生えている地眉毛以外のもの全てを言う。人工物でなく、天然の毛であってもよい。
【０００７】
本発明のつけ眉毛の実施方法は、
前記人工眉毛を配置するステップ及び前記人工眉毛の上に接着剤を塗布するステップを、２回以上繰り返すことを特徴とする。
【０００８】
この特徴によれば、配置された人工眉毛が接着剤によってコーティングされる。人口眉毛の配置が安定する。ここで「２回以上繰り返す」は、人工眉毛を配置するステップ及び人工眉毛の上に接着剤を塗布するステップの組を繰り返すものであり、例えば、人工眉毛を配置するステップ、人工眉毛の上に接着剤を塗布するステップ、人工眉毛を配置するステップ、人工眉毛の上に接着剤を塗布するステップの順に行うものである。
【０００９】
本発明のつけ眉毛の実施方法は、
上記のつけ眉毛の実施方法を行った後に、表面の人口眉毛に第２の接着剤によって人口眉毛を付することを特徴とする。
【００１０】
この特徴によれば、天然の眉毛に人口の眉毛を接着してなされる場合と同様にして、さらに人口眉毛を付することができる。
【００１１】
本発明のつけ眉毛の実施方法は、
上記のつけ眉毛の実施方法を行った後に、乾燥してシート状となった接着剤及び人口眉毛の結合体を皮膚から剥離するステップと、
前記結合体を皮膚に接着するステップを含むことを特徴とする。
【００１２】
この特徴によれば、結合体を、ベースと人工眉毛を合わせたものと同様に使用して、再利用することができる。結合体は天然眉毛と一体化されて自然な眉毛に見えるものとなっているので、その自然な状態で再利用が可能である。
【発明の効果】
【００１３】
本発明によれば、装着前の天然眉毛と装着される人工眉毛とが一体化されて自然な眉毛に見えるつけ眉毛の実施方法を提供することができる。
【図面の簡単な説明】
【００１４】
【図１】図１は、天然眉毛と人工眉毛との組合せを示す図である。
【図２】図２は、つけ眉毛の実施手順を示す図である。
【図３】図３は、結合体を示す図である。
【発明を実施するための形態】
【００１５】
以下、本発明の実施例を説明する。
【００１６】
図１は、天然眉毛と人工眉毛との組合せを示す図である。天然眉毛１は、図１（Ａ）、図１（Ｂ）の上段に示すように、各個人によって伸びる方向が異なっている。なお、図は、理解を補助するために、眉毛の数を少なく、間隔を広く描いたものである。
【００１７】
ここに、例えばファイバー製の人工眉毛２（破線で示す）を接着するが、図１（Ａ）、図１（Ｂ）の下段に示すように、天然眉毛１に沿った方向（毛流れ）とすることで、天然眉毛１人工眉毛２とが一体化されて、全体が自然な眉毛に見える。
【００１８】
特許文献１〜３に開示されているようにシート状の部材に人工眉毛２を付する場合には、人口眉毛２の毛流れを天然眉毛１に合わせることが困難である。このため、図１（Ｃ）に示すように、天然眉毛１と人工眉毛２との毛流れが合わない場合が発生してしまうリスクが大きい。
【００１９】
天然眉毛１を見ながら人工眉毛２を接着することで、天然眉毛１と人工眉毛２との毛流れを容易に合わせることができる。
【００２０】
図２は、つけ眉毛の実施手順を示す図である。なお、図は見やすさを重視し、眉毛の本数を少なく、そして図の上下方向を拡大して描いた。
【００２１】
まず、図２（Ａ）に示す地肌１ａ又は天然眉毛１の上に接着剤３を塗布し、図２（Ｂ）の状態にする。地肌１ａは、つけ眉毛をつける箇所の地肌であり、そこに天然眉毛１が生えていることが多い。接着剤３を地肌１ａに塗布しても、その上の天然眉毛１に塗布しても、地肌１ａと天然眉毛１の両方に塗布してもよい。
【００２２】
次に、人工眉毛２ａを接着（配置）して図２（Ｃ）の状態にする。この際、天然眉毛１を見ながら人工眉毛２ａを接着し、天然眉毛１と人工眉毛２ａとの毛流れを合わせる。
【００２３】
次に、もう一度接着剤３を塗布し、人工眉毛２ｂを接着（配置）して図２（Ｄ）の状態にする。これにより、人工眉毛２ａが接着剤３にコーティングされ、安定して配置されるとともに、風や埃に影響されてしまうことが少なくなる。
【００２４】
コーティングの効果を得るため、そして透明で下の天然眉毛１、人工眉毛２が見えるため、接着剤３は、コポリマーを主成分とするものを使用する。
【００２５】
図２（Ｂ）から図２（Ｃ）に至るステップは、何度繰り返しても（人工眉毛２を何層に積層しても）よい。
【００２６】
最後に、人口眉毛２ｂに別の人口眉毛２ｃを接着することができる。その結果、図２（Ｅ）の状態となる。この際に用いる接着剤は、コーティングの効果を必要とせず、例えばエチルシアノアクリレートを主成分とした接着剤を用いることができる。
【００２７】
図２（Ｅ）の状態は、天然眉毛１と人工眉毛２との毛流れが合わせられ、かつ人口眉毛２ｃによって任意の方向に伸びた眉毛が増量され、自然で美しい眉毛となる。
【００２８】
図３は、結合体を示す図である。図２（Ｅ）の状態で、皮膚から接着剤３を剥がすことで、結合体４を得ることができる。
【００２９】
結合体４は、乾燥して固化した接着剤３に人工眉毛２が含まれている。結合体４を保存し、再び接着してつけ眉毛として利用することができる。
【００３０】
以上詳細に説明したように、本実施例のつけ眉毛の実施方法によれば、天然眉毛１人工眉毛２との毛流れを合わせることができ、全体が自然な眉毛に見える。また、人工眉毛２aが接着剤３にコーティングされ、安定して配置されるとともに、風や埃に影響されてしまうことが少なくなる。さらに、人口眉毛２ｃによって任意の方向に伸びた眉毛が増量され、自然で美しい眉毛となる。皮膚から接着剤３を剥がすことで、結合体４を得ることができ、結合体４を保存し、再び接着してつけ眉毛として利用することができる。
【産業上の利用可能性】
【００３１】
着前の天然眉毛と装着される人工眉毛とが一体化されて自然な眉毛に見えるつけ眉毛の実施方法である。多くの個人による利用が考えられる。
【符号の説明】
【００３２】
１    天然眉毛
１ａ  地肌
２    人工眉毛
３    接着剤
４    結合体
【図１】
2020079464.tif 000003
【図２】
2020079464.tif 000004
【図３】
2020079464.tif 000005